(57)【要約】      （修正有）【課題】安価な構成でありながら、携帯電話機の配置方向を使用者の使用形態に応じて変更でき、更に装着場所に対する制約が少ない携帯電話機保持具を提供する。【解決手段】取り付け対象に固定する手段を有するベース部材２と、携帯電話機９０の固定手段を有する保持具本体３と、前記ベース部材２と前記保持具本体３を面ファスナーによって着脱自在に結合する構成を有する携帯電話機保持具において、前記ベース部材２と前記保持具本体３の何れか一方に面ファスナーが直線状に固定され、前記ベース部材２と前記保持具本体３の何れか他方に面ファスナーが十字状に固定される。【選択図】図１
0003184011.tif 000002
【実用新案登録請求の範囲】
【請求項１】
取り付け対象に固定する手段を有するベース部材と、携帯電話機の固定手段を有する保持具本体と、前記ベース部材と前記保持具本体を面ファスナーによって着脱自在に結合する構成を有する携帯電話機保持具において、前記ベース部材と前記保持具本体の何れか一方に面ファスナーが直線状に固定され、前記ベース部材と前記保持具本体の何れか他方に面ファスナーが十字状に固定されることを特徴とする携帯電話機保持具。
【請求項２】
前記ベース部材が帯状に形成され前記ベース部材に固定される面ファスナーがベルトの長手方向に沿って直線状に配置され、前記保持具本体に固定される面ファスナーが十字状に配置されることを特徴とする請求項１記載の携帯電話機保持具。
【請求項３】
前記面ファスナーは、結合面がカギ形状からなるカギ状面ファスナーと結合面がループ形状からなるループ状面ファスナーからなり、前記ベース部材にカギ状面ファスナーが固定され、前記保持具本体にループ状面ファスナーが固定されることを特徴とする請求項１または２記載の携帯電話機保持具。
【考案の詳細な説明】
【技術分野】
【０００１】
本考案は、携帯電話機を、自動車の車内や、家庭内、身の回り品、および身体等に装着する際に、安価な構成でありながら、携帯電話機の配置方向を使用者の使用形態に応じて変更できる携帯電話機保持具に関する。
【背景技術】
【０００２】
従来技術として実用新案登録第３０２１０３０号公報においては図１５に示すように、ヘッドレストとの固定手段を有する左右の固定バンド６１によって自動車の左右のフロントシート間に固定される収納装置本体６０と、携帯電話機９０を保持可能な携帯電話袋６３とを有し、前記収納装置本体６０と前記携帯電話袋６３が互いの接合面に設けられた粘着帯６５によって着脱自在に構成される自動車フロントシート間用多機能収納装置が開示されている。
【０００３】
また、他の従来技術として特開２００８−２０２７７１号公報においては図１６に示すように、携帯電話機の背面に当接する背面部７１と、前記背面部７１の左右両端よりそれぞれ前方へ延設する左右一対のアーム部７２とを有する本体７０と、自動車の室内の被取り付け対象物に取り付けるための取り付けベース７４とからなる物品ホルダーであって、前記本体７０は、背面部７１とアーム部７２を転回可能に軸支したリアケース７６を有する物品ホルダーが開示されている。
【０００４】
しかしながら、上記実用新案登録第３０２１０３０号公報においては、前記収納装置本体６０と前記携帯電話袋６３とは互いの接合面に設けられた粘着帯６５が、共に直線状に配置されているため、携帯電話機の保持方向を使用者の使用状況に応じて変更することが出来なかった。
【０００５】
上記実用新案登録第３０２１０３０号公報の欠点を解消するため、特開２００８−２０２７７１号公報においては、リアケース７６が前記取り付けベース７４に対して背面部７１とアーム部７２を仰角調整可能に軸支される様に構成しているため、携帯電話機の保持方向を使用者の使用状況に応じて９０°転回することで容易に対応することができるが、構成が複雑になりコストが上昇すると同時に、サイズが大きくなり重量も重くなるため、被取り付け対象物に対する取り付け強度を高める必要があり、更に自動車のサンバイザーなど重量が重い部材を装着すると自重によって回転してしまう構造の場所には装着できない欠点があった。
【先行技術文献】
【特許文献】
【０００６】
【特許文献１】実用新案登録第３０２１０３０号公報
【特許文献２】特開２００８−２０２７７１号公報
【考案の概要】
【考案が解決しようとする課題】
【０００７】
本考案は、安価な構成でありながら、携帯電話機の配置方向を使用者の使用形態に応じて変更でき、更に装着場所に対する制約が少ない携帯電話機保持具を得ることを課題とする。
【課題を解決するための手段】
【０００８】
本考案は、取り付け対象に固定する手段を有するベース部材と、携帯電話機の固定手段を有する保持具本体と、前記ベース部材と前記保持具本体を面ファスナーによって着脱自在に結合する構成を有する携帯電話機保持具において、前記ベース部材と前記保持具本体の何れか一方に面ファスナーが直線状に固定され、前記ベース部材と前記保持具本体の何れか他方に面ファスナーが十字状に固定されることを特徴とする。
【０００９】
更に、前記ベース部材が帯状に形成され前記ベース部材に固定される面ファスナーがベルトの長手方向に沿って直線状に配置され、前記保持具本体に固定される面ファスナーが十字状に配置されると良い。
【００１０】
更に、前記面ファスナーは、結合面がカギ形状からなるカギ状面ファスナーと結合面がループ形状からなるループ状面ファスナーからなり、前記ベース部材にカギ状面ファスナーが固定され、前記保持具本体にループ状面ファスナーが固定されると良い。
【考案の効果】
【００１１】
本考案は、携帯電話機を、自動車の車内や、家庭内、身の回り品、および身体等に装着する際に、安価な構成でありながら、携帯電話機の配置方向を使用者の使用形態に応じて変更でき、簡単な構成であるため、従来技術からの重量の増加が僅かであるため、自動車のサンバイザーなど重量が重い部材を装着すると自重によって回転してしまう構造の場所にも装着できる効果を有する。
【００１２】
更に、取り付け対象へ固定する部分（ベース部材）がベルトで構成され、前記ベルトの長手方向に沿って直線状に面ファスナーを固定し、携帯電話機の保持具本体の裏面に十字状に面ファスナーを固定することによって、部品点数が少なく非常に簡単な構造でありながら、携帯電話機の配置方向を使用者の使用形態に応じて変更できる。
【００１３】
更に、前記面ファスナーは、結合面がカギ形状からなるカギ状面ファスナーと結合面がループ形状からなるループ状面ファスナーからなり、前記ベース部材にカギ状面ファスナーが固定され、前記保持具本体にループ状面ファスナーが固定されることによって、硬度の高いカギ状面ファスナーが取り付け対象と干渉し、前記取り付け対象を傷付けることを防止することができる。
【図面の簡単な説明】
【００１４】
【図１】本考案の第１実施例に係る使用形態を示す参考図
【図２】本考案の第１実施例に係る使用形態を示す参考図
【図３】本考案の第１実施例に係るベース部材の装着状態を示す参考図
【図４】本考案の第１実施例に係るベース部材を示す平面図
【図５】本考案の第１実施例に係る使用形態を示す側面図
【図６】本考案の実施例に係る保持具本体を示す平面図
【図７】本考案の実施例に係る保持具本体を示す側面図
【図８】本考案の実施例に係る保持具本体を示す裏面図
【図９】本考案の実施例に係る保持具本体の変形例を示す裏面図
【図１０】本考案の第２実施例に係る使用形態を示す参考図
【図１１】本考案の第２実施例に係る使用形態を示す参考図
【図１２】本考案の第２実施例に係るベース部材の装着状態を示す参考図
【図１３】本考案の第２実施例に係るベース部材を示す平面図
【図１４】本考案の第２実施例に係る使用状態を示す側面図
【図１５】第１の従来技術を示す説明図
【図１６】第２の従来技術を示す斜視図
【考案を実施するための形態】
【実施例１】
【００１５】
本考案の第１実施例は、図１〜図８に示すように自動車のサンバイザー８０の外周に対して上下方向に巻き付けて固定するためのベルト固定手段を有するベース部材２と、携帯電話機９０の固定手段を有する保持具本体３と、前記ベース部材２と前記保持具本体３を面ファスナー４によって着脱自在に結合する構成を有する携帯電話機保持具１よりなる。
【００１６】
前記ベルト固定手段は、前記ベース部材２の上側の位置に離間して接続された左右一対のバックル付きベルト２１と、前記ベース部材２の下側の位置に離間して接続された左右一対のベルト単体２２を有し、前記ベース部材２をサンバイザー８０の任意の平面に配置した状態で前記バックル付きベルト２１と前記ベルト単体２２によってサンバイザー８０の外周を取り囲む様に配置し、前記バックル付きベルト２１のバックル２３の部分に前記ベルト単体２２を接続した後に、前記バックル２３に対する前記ベルト単体２２の固定位置を変更して前記バックル付きベルト２１と前記ベルト単体２２によって無端状に形成されたベルトのループ長を減少させることによって、前記ベース部材２が前記サンバイザー８０にしっかり固定される。
【００１７】
尚、前記バックル付きベルト２１とベルト単体２２は夫々伸縮性を有する素材を用いていても良く、その場合はバックル２３を具備せずベース部材２の上側に一端を固定し、ベース部材２の下側に他端を固定したループ状のベルトで構成しても良い。尚、本考案において前記ベース部材２の取り付け対象は、自動車のサンバーザー８０には限定されず、自動車の車内の他の位置や、家庭内、身の回り品、および身体等、取り付け対象毎に粘着テープや、ネジ手段、クリップ等の挟持機構等、既存の固定技術を適切に利用することができる。
【００１８】
前記ベース部材２の表面には、上下方向に直線状に面ファスナー４が固定され、前記保持具本体３の裏面には十字状に面ファスナー４が固定される。尚、前記保持具本体３の裏面に固定される十字状の面ファスナー４は図９に示すように中心が抜けた形状に配置することによって、面ファスナー４を節約することができる。尚、前記ベース部材２の表面に十字状に面ファスナー４を固定し、前記保持具本体３の裏面に直線状に面ファスナー４を固定しても良い。
【００１９】
前記保持具本体３の表面には上側バンド３１と下側バンド３２からなる少なくとも２本の伸縮性を有するバンドが具備され、更に前記下側バンド３２の略中央部分には携帯電話機９０の下端支持バンド３３の一端が固定され、前記下端支持バンド３３の他端は前記保持具本体３の下端部に固定される。尚、本考案において前記保持具本体３による携帯電話機９０の保持構造は、バンド以外の既存の携帯電話機保持技術を適切に利用することができる。
【実施例２】
【００２０】
本考案の第２実施例は、図６〜図８および図１０〜図１４に示すように自動車のサンバイザー８０の外周に対して上下方向に巻き付けて固定するためのベルト５１により構成されるベース部材５と、携帯電話機９０の固定手段を有する保持具本体３と、前記ベース部材５と前記保持具本体３を面ファスナー４によって着脱自在に結合する構成を有する携帯電話機保持具１１よりなる。
【００２１】
前記ベース部材５のサンバイザー８０への固定方法は、一端にバックル５２が接続されたベース部材５（ベルト５１）をサンバイザー８０の任意の位置でサンバイザー８０の外周を取り囲む様に配置し、前記バックル５２の部分に前記ベルト５１の他端を接続した後に、前記バックル５２に対する前記ベルト５１の固定位置を変更して前記バックル５２と前記ベルト５１によって無端状に形成されたベルトのループ長を減少させることによって、前記ベルト５１が前記サンバイザー８０にしっかり固定される。
【００２２】
尚、前記ベルト５１は伸縮性を有する素材を用いても良く、その場合はバックル５２を具備せずループ状のベルトによって構成しても良い。尚、本考案において前記ベース部材５（ベルト５１）の取り付け対象は、自動車のサンバーザー８０には限定されず、自動車の車内の他の位置や、家庭内、身の回り品、および身体等に対して、既存のベルトによる固定技術を適切に利用することができる。
【００２３】
前記ベース部材５を構成するベルト５１の長手方向の中間部の表面には、長手方向に面ファスナー４が直線状に固定され、前記保持具本体３の裏面には十字状に面ファスナー４が固定される。尚、前記保持具本体３の裏面に固定される十字状の面ファスナー４は図９に示すように中心が抜けた形状に配置することによって、面ファスナー４を節約することができる。
【００２４】
前記保持具本体３の表面には上側バンド３１と下側バンド３２からなる少なくとも２本の伸縮性を有するバンドが具備され、更に前記下側バンド３２の略中央部分には携帯電話機９０の下端支持バンド３３の一端が固定され、前記下端支持バンド３３の他端は前記保持具本体３の下端部に固定される。尚、本考案において前記保持具本体３による携帯電話機９０の保持構造は、バンド以外の既存の携帯電話機保持技術を適切に利用することができる。
【００２５】
前記実施例１および２を含む本考案において、前記面ファスナー４は、結合面がカギ形状からなるカギ状面ファスナーと結合面がループ形状からなるループ状面ファスナーからなり、前記ベース部材２、５にカギ状面ファスナーが固定され、前記保持具本体３にループ状面ファスナーが固定されることによって、硬度の高いカギ状面ファスナーが取り付け対象と干渉し、前記サンバイザー８０などの取り付け対象を傷付けることを防止することができる。尚、本考案の面ファスナー４は本実施例の構成に限定されず、一方の面ファスナーと他方の面ファスナーが互いに着脱可能な構成であれば良く、既存の面ファスナーに属する接続具の技術を適切に利用することができる。
【産業上の利用可能性】
【００２６】
本考案の携帯電話機保持具は、自動車の車内や、家庭内、身の回り品、および身体等に携帯電話機を装着する際に、安価な構成でありながら、携帯電話機の配置方向を使用者の使用形態に応じて変更できる携帯電話機保持具として産業上、広く利用することができる。
【符号の説明】
【００２７】
１：携帯電話機保持具、２：ベース部材、３：保持具本体、４：面ファスナー、5：ベース部材、１１：携帯電話機保持具、２１：バックル付きベルト、２２：ベルト単体、２３：バックル、３１：上側バンド、３２：下側バンド、３３：下端支持バンド、５１：ベルト、５２：バックル、６０：収納装置本体、６１：固定バンド、６３：携帯電話袋、６５：粘着帯、７０：本体、７１：背面部、７２：アーム、７４：取り付けベース、７６：リアケース、８０：サンバイザー、９０：携帯電話機
【図１】
0003184011.tif 000003
【図２】
0003184011.tif 000004
【図３】
0003184011.tif 000005
【図４】
0003184011.tif 000006
【図５】
0003184011.tif 000007
【図６】
0003184011.tif 000008
【図７】
0003184011.tif 000009
【図８】
0003184011.tif 000010
【図９】
0003184011.tif 000011
【図１０】
0003184011.tif 000012
【図１１】
0003184011.tif 000013
【図１２】
0003184011.tif 000014
【図１３】
0003184011.tif 000015
【図１４】
0003184011.tif 000016
【図１５】
0003184011.tif 000017
【図１６】
0003184011.tif 000018